(57)【要約】【目的】脆弱な気泡コンクリートに取り付けが、容易で且つガタつきの無い強固な、雌螺子アンカーを、安価に提供する。【構成】雌螺子アンカー本体３０に、突起帯３４を設け、テーパースプリング３５を固着させ、「特許３３３６５０１号」気泡コンクリート用アンカーの開閉体３ａ、３ｂの特徴を有しているが、スプリング４ａ、４ｂは無く、開閉体内部に開閉体３ａ、３ｂを、開脚する為のスプリング４１を内蔵し、開閉体片側先端部にスプリング４１の曲部４２をセットし、雌螺子アンカーの空回りを防止する為の三角状突起物３１ａ、３１ｂが設けられている。脱着する事の出来るアンカー挿入棒３７にて、取り付け貫通孔に挿入し開閉体が、スプリング４１にて、開脚した後、テーパースプリング後方部３６との間にスプリング特有の、収縮力にて、三角状突起物３１ａ、３１ｂが気泡コンクリート面にくい込み貫通孔内の雌螺子アンカーを支持し、ガタつきと、空回りを防止する事が出来る様に構成された物である。【選択図】　　　図５
2004125154.tif 000002
【特許請求の範囲】
【請求項１】
気泡コンクリートに設けたアンカー取り付け貫通孔に挿入する雌螺子アンカー本体３０は、内部に雌螺子３３施し「特許第３３３６５０１号」気泡コンクリート用アンカーの開閉体部分の特徴を持ち、開閉体自体に開脚するためのスプリング４１を内蔵し、その先端部に、尖った三角状突起物３１ａ、３１ｂを有し、その対面に、３１ａ、３１ｂが噛み合う事の出来る逆三角状部３２ａ、３２ｂを、形成している気泡コンクリート用雌螺子アンカー。
【請求項２】
雌螺子アンカー本体３０は、後方先端部周囲に、突起帯３４を設け、貫通孔内部のアンカー支持手段として、コイル状のテーパースプリング３５、３６より構成されており突起帯３４にテーパースプリング３５が、固着できる様になっている請求項１記載の気泡コンクリート用雌螺子アンカー。
【請求項３】
雌螺子アンカー本体３０は、脱着する事のできるアンカー挿入棒３７によって、取り付け貫通孔に挿入する事の出来る請求項１記載の気泡コンクリート用雌螺子アンカー。
【発明の詳細な説明】
【０００１】
【産業上の利用分野】
本発明は、気泡コンクリートの壁や、天井、床等に、固着する事の出来る気泡コンクリート用雌螺子アンカーに関するものである。
【０００２】
【従来の技術】
従来気泡コンクリート用アンカーは、図１１に示す様に、ビスやボルトを締め付ける事により筒状拡張体２０を拡張させるタイプと、図１２に示す筒状誘導体２１を有し、下部の拡張体２２を拡張させ、固定するものとに大別される。
【０００３】
【発明が解決しようとする課題】
しかしながら、気泡コンクリートは、脆弱で有る為、ボルト等を締め付け拡張体を拡げる際に、拡張体自身が気泡コンクリートにめりこみ、更には拡張体周辺の拡がりが小さく、ガタつき等が有り、アンカーとしての強度を、保つ事が出来なかったばかりでなく、取り付け金物が、外れる等の危険性があった。
【０００４】
「特許第３３３６５０１号」の気泡コンクリート用アンカーは、貫通方式で、開閉体を要し、今迄にない絶大なる強固で、画期的なアンカーでは有るが、雌螺子アンカーは無かった。
【０００５】
又、スプリング４ａ、４ｂの装着に、製造面に於ける難しさが有り、コストが高くつくなどの難点があった。
【０００６】
そこで本発明は、従来のこのような問題点を解決して、気泡コンクリートへの取り付けが容易で、且つ強固に、取り付け金物を固定出来るガタつきの無い気泡コンクリート用雌螺子アンカーを、提供する事を目的とするものである。
【０００７】
【課題を解決するための手段】
本発明は、上記目的を達成する為に、「特許第３３３６５０１号」気泡コンクリート用アンカーの開閉体部分の特徴を有している。
【０００８】
ここで「特許第３３３６５０１号」気泡コンクリート用アンカーの開閉体部分の構成を記する事にする。
【０００９】
図１に示すように、アンカー本体１は、偏平状態２を形成し、開閉体３ａ、３ｂが、セットピン５ａ、５ｂにて固定され、取り付け貫通孔を、開閉体３ａ、３ｂが、通過するとスプリング４ａ、４ｂにて開脚し、図２に示すナット９を、締め付ける事により凹状の開閉体３ａ、３ｂが気泡コンクリート面にくいこむ構造の気泡コンクリート用アンカーであり、
【００１０】
開閉体３ａ、３ｂの長さＨ寸法は、気泡コンクリート内壁と内部壁との間隔寸法Ｌよりマイナス１０ミリ程度に設定し空洞面１４内で、開く事の出来る気泡コンクリート用アンカーである。
【００１１】
以下「特許第３３３６５０１号」気泡コンクリート用アンカーの開閉体部分を、総称して５０と記し、明細書、図面に記す１から１５までの数字はは「特許第３３３６５０１号」の抜粋である。
【００１２】
雌螺子アンカー本体３０は、内部に雌螺子３３を施し「特許第３３３６５０１号」気泡コンクリート用アンカーと同じ貫通方式で、開閉体部分５０の特徴を有しているが、図１、図２示す、スプリング４ａ、４ｂは無く、
【００１３】
開閉体３ａ、３ｂの内部に、スプリング４１を内蔵し、その先端は開閉体片側の端部に、図１４、図１５に示す、セット出来る曲部４２、が設けられている。
【００１４】
開閉体３ａ、３ｂは、図７に示す様に先端部に尖った三角状突起物３１ａ、３１ｂを有しその対面に３１ａ、３１ｂが噛み合う事の出来る逆三角状部３２ａ、３２ｂを形成し、
【００１５】
気泡コンクリート１３の巾厚、３分の２程度に設定され、
【００１６】
雌螺子アンカー本体３０は、後方部周囲に突起帯３４を設け、
【００１７】
貫通孔内４０のアンカー支持手段として、コイル状のテーパースプリング３５、３６が固着できる様になっておりテーパースプリング３５は、先端部より後方部３６にかけて穴径が広くテーパー状に設定されており、
【００１８】
脱着出来るアンカー挿入棒３７より構成されている。
【００１９】
【作用】
図３に示すようにアンカー本体３０は、「特許第３３３６５０１号」気泡コンクリート用アンカーの開閉体部分５０の特徴を持ち、開閉体３ａ、３ｂの内部にスプリング４１を内蔵し、開閉体片側先端部にスプリング曲部４２が、セットされ、尖った三角状突起物３１ａ、３１ｂを有し、その対面に３１ａ、３１ｂが噛み合う事の出来る逆三角状部３２ａ、３２ｂを形成し、雌螺子アンカー本体は、気泡コンクリート１３の巾厚、３分の２程度に設定されており、内部に雌螺子３３をを施しており、金物取り付け用ボルト３８が、螺進出来るようになっている。
【００２０】
雌螺子アンカー本体３０の後方部周囲に、突起帯３４を設け、
【００２１】
コイル状のテーパースプリングの先端部３５が、固着出来る様になっている。
【００２２】
コイル状のテーパースプリング３５、３６は、貫通孔４０内部の雌螺子アンカー本体３０の支持手段であって、
【００２３】
後方部に、なるに従ってリングが大きく、テーパー状であり、最後部３６は、貫通孔４０の穴径より広くなっており、
【００２４】
雌螺子アンカー本体３０を、取り付け貫通孔４０に挿入時に、スプリング特有の伸縮力により雌螺子アンカー本体３０を、貫通孔内４０に支持する事ができる。
【００２５】
脱着出来るアンカー挿入棒３７は、雌螺子アンカー本体３０を貫通孔内に４０に挿入する為のもので、開閉体３ａ、３ｂが、内蔵スプリング４１の働きにより開脚した後、抜き去る事が出来、テーパースプリング３５と３６との収縮力により、三角状突起物３１ａ、３１ｂが、気泡コンクリート内にくい込み金物取り付けボルト３８で、仮締めした状態に維持する事が出来る。
【００２６】
【発明の実施形態】
以下この発明の実施例を、添付図面に基づいて詳細に、説明する。
【００２７】
雌螺子アンカー本体３０は、図８に示す様に、　内部に雌螺子３３を要しその後方部周囲に、図９に示すテーパースプリング３５が固着する事の出来る突起帯３４を設け「特許第３３３６５０１号」気泡コンクリート用アンカーの特徴で有る偏平状態２を形成し、開閉体３ａ、３ｂを取り付けるセットピン５ａ、５ｂ用の穴１５ａ、１５ｂを要しており、図１０は雌螺子アンカー本体３０の正面図である。
【００２８】
図３に示すように、雌螺子アンカー本体３０の取り付け位置にドリル等を用いて貫通孔４０を設け、
【００２９】
「特許第３３３６５０１号」気泡コンクリート用アンカーの特徴で有る開閉体３ａ、３ｂを閉じた状態で、雌螺子アンカー本体３０に、アンカー挿入棒３７を差し込み取り付け貫通孔４０に挿入する。その際、図７、図４に示す様に、三角状突起物３１ａ、３１ｂは逆三角状部３２ａ、３２ｂと噛み合い収納状態に有る。
【００３０】
図１３は、三角状突起物の変形実施例である。
【００３１】
図４に示す、雌螺子アンカー本体３０が、貫通孔４０を通過する時テーパースプリング３５の最後部３６が貫通孔４０の穴径より大きくなっている為、貫通孔４０の入り口部で係止し、更に挿入棒３７を押す事により、テーパースプリング３５、３６が伸び
【００３２】
図３に示す、開閉体部分５０が取り付け貫通孔４０を通過しスプリング４１の働きにより開脚した後、図１６、図１７は、開閉体の両側に、板状スプリング４１ａ、４１ｂを、取り付けた内蔵スプリングの、変形実施例であり、
【００３３】
図５に示す様に、アンカー挿入棒３７を抜き去る事により開閉体部分５０とテーパースプリング３５の最後部３６との間にスプリング特有の収縮力が生じ、三角状突起物３１ａ、３１ｂが気泡コンクリート面にくい込み、貫通孔４０内に雌螺子アンカー本体３０を安定に支持でき、金物取り付けボルト３８にて仮締めした状態で、維持する事が出来る。
【００３４】
しかる後、図６に示す様に取り付け金物３９を取り付けボルト３８にて締め付けることにより三角状突起物３１ａ、３１ｂが雌螺子アンカー本体３０の空回りを防止し、「特許第３３３６５０１号」気泡コンクリート用アンカー特有の開閉体３ａ、３ｂが気泡コンクリート内にくい込み、テーパースプリング３５、３６が圧縮され、取り付け金物を完全に固着する事が出きる。
【００３５】
尚、雌螺子アンカー本体３０の内部ネジ３３と、金物取り付けボルト３８とは、メスネジとオスネジの関係にある。
【００３６】
図６は、取り付け金物３９を、取り付けボルト３８にて装着した状態である。
【００３７】
【発明の効果】
本発明は、以上の様に気泡コンクリート１３自体に、アンカーを貫通させ後方にて開閉体３ａ、３ｂが開く「特許第３３３６５０１号」気泡コンクリート用アンカーの特徴を生かした雌螺子アンカーで有る為、絶大の強度を得ることが出来る。
【００３８】
テーパースプリンング３５、３６の、収縮力により三角状突起物３１ａ、３１ｂが、気泡コンクリート面にくい込むため貫通孔４０内の雌螺子アンカー本体３０を、金物取り付けボルト３８で、仮締めする手間が、省けるばかりでなく、
【００３９】
開閉体３ａ、３ｂを開脚するスプリング４１が、開閉体内蔵の為、製作時のコストが、低く設定できる。
【００４０】
三角状突起物３１ａ、３１ｂは、金物取り付け時の、雌螺子アンカー本体３０の空回りを防ぎ、ガタつきを無くし取り付け強度を確実に得られる。
【００４１】
尚、スプリング４１は、鋼製で無く、プラスチック等の樹脂製でも可能で有り、棒状でも、板状でも良い。
【００４２】
アンカー本体３０が、雌螺子アンカーであるため金物取り付け後、不要に突き出したボルトの頭を、切断するなどの手間が省ける。
【００４３】
取りつけ方法が貫通施行の為、後部が空洞面であればパネル、ブロック、ボード、各種発泡材に、使用可能で有り、
【００４４】
雌螺子アンカー本体３０の材質を、プラスチックやアルミを用いる事により金物取り付けボルト３８を、ビス等に変更可能で有り、小物等の、金物取り付けにも適している。
【図面の簡単な説明】
【図１】「特許第３３３６５０１号」気泡コンクリート用アンカーの開脚状態を示す説明図である。
【図２】「特許第３３３６５０１号」気泡コンクリート用アンカーの実施状態を示す説明図である。
【図３】本発明、雌螺子アンカーの挿入状態を示す側面図である。
【図４】本発明、雌螺子アンカーの段階的実施状態を示す側面図である。
【図５】本発明、雌螺子アンカーの段階的実施状態を示す側面図である。
【図６】本発明、雌螺子アンカーの実施状態を示す側面図である。
【図７】「特許第３３３６５０１号」気泡コンクリート用アンカーの、開閉体先端部に、本発明雌螺子アンカー用三角状突起物を設けた斜視図である。
【図８】本発明、雌螺子アンカー本体の側面図である。
【図９】本発明テーパースプリングの側面図である。
【図１０】本発明雌螺子アンカー本体の正面図である。
【図１１】従来のアンカー実施状態を示す説明図である。
【図１２】従来のアンカー実施状態を示す説明図である。
【図１３】本発明開閉体三角状突起物の変形実施例である。
【図１４】本発明内蔵スプリングの側面図である。
【図１５】本発明内蔵スプリングを、開閉体にセットした、斜視図である。
【図１６】本発明開閉体内蔵スプリングを、開閉体の両側にセットした変形実施例である。
【図１７】本発明開閉体内蔵スプリングを、両側にセットした変形実施例の斜視図である。
【符号の説明】
１　アンカー本体
２　アンカー偏平部
３ａ、３ｂ　開閉体
４ａ、４ｂ　スプリング
５ａ、５ｂ　セットピン
９　ナット
１０　ワッシャ
１２　内部壁
１３　気泡コンクリート
１４　空洞面
１５ａ、１５ｂセットピン用の穴
Ｈ　開閉体長さ寸法
Ｌ　空洞面の間隔寸法
３０　雌螺子アンカー本体
３１ａ、３１ｂ三角状突起物
３２ａ、３１ｂ逆三角状部
３３　雌螺子
３４　突起帯
３５　テーパースプリング先端部
３６　テーパースプリング後方部
３７　アンカー挿入棒
３８　取り付けボルト
３９　取り付け金物
４０　アンカー挿入孔
４１　内蔵スプリング
４１ａ、４１ｂ内蔵スプリング
４２　内蔵スプリング曲部
４２ａ、４２ｂ内蔵スプリング曲部
５０　「特許３３３６５０１」号の開閉体部分の総称
【図１】
2004125154.tif 000003
【図２】
2004125154.tif 000004
【図３】
2004125154.tif 000005
【図４】
2004125154.tif 000006
【図５】
2004125154.tif 000007
【図６】
2004125154.tif 000008
【図７】
2004125154.tif 000009
【図８】
2004125154.tif 000010
【図９】
2004125154.tif 000011
【図１０】
2004125154.tif 000012
【図１１】
2004125154.tif 000013
【図１２】
2004125154.tif 000014
【図１３】
2004125154.tif 000015
【図１４】
2004125154.tif 000016
【図１５】
2004125154.tif 000017
【図１６】
2004125154.tif 000018
【図１７】
2004125154.tif 000019